(57)【特許請求の範囲】
【請求項１】
複数の電気機器の種類を判別するための装置であって、
判別対象となる複数の電気機器それぞれについて、供給されている電圧、電流、及び電力のうち少なくとも１つの計測結果を取得し、取得した前記計測結果に基づいて、前記判別対象となる複数の電気機器それぞれの電気的特徴量を計算する、特徴量計算部と、
前記判別対象となる複数の電気機器それぞれについて、
計算された前記電気的特徴量を、電気機器の種類毎に予め設定されている電気的特徴量に照合し、
そして、電気的特徴量が設定されている前記電気機器の種類毎に、当該電気機器と前記判別対象となる電気機器とのユークリッド距離を算出し、
電気的特徴量が設定されている前記電気機器の中から、前記ユークリッド距離が小さい順に、設定された数だけ、前記判別対象となる電気機器の種類の候補を選出する、候補選出部と、
２以上の電気機器を含む組合せ毎に当該２以上の電気機器が同時に用いられる可能性を示す出現係数が登録されたデータベースを用い、
前記判別対象となる複数の電気機器それぞれの前記候補を含む組合せ毎に、当該組み合わせを構成する各候補の前記ユークリッド距離の２乗の合計値を求め、更に、求めた合計値を、当該組み合わせに合致する前記出現係数で除算し、除算値に基づいて、１の組合せを選出し、選出した組合せに含まれる各候補を、前記判別対象となる複数の電気機器それぞれの種類と判別する、機器判別部と、
を備えている、ことを特徴とする電気機器判別装置。
【請求項２】
前記候補選出部が、更に、電気機器における状況毎の稼動している可能性を示す稼動係数を用いて、前記判別対象となる電気機器の種類の候補を選出する、
請求項１に記載の電気機器判別装置。
【請求項３】
前記判別対象となる電気機器が異なっている別の電気機器判別装置から、前記別の電気機器判別装置が選出した候補の通知を受信する、通信部を更に備え、
前記機器判別部が、前記出現係数として、２以上の電気機器を含む組合せ毎の当該２以上の電気機器が同時に用いられる可能性を示す係数を用いて、前記候補選出部に選出された前記候補と前記通知された候補との組合せの中から１の組合せを選出し、選出した組合せに含まれる、前記候補選出部に選出された前記候補を、前記判別対象となる電気機器の種類と判別する、請求項１に記載の電気機器判別装置。
【請求項４】
複数の電気機器の種類を判別するためのシステムであって、電気機器判別装置と、管理装置とを備え、
前記電気機器判別装置は、
判別対象となる複数の電気機器それぞれについて、供給されている電圧、電流及び電力のうち少なくとも１つの計測結果を取得し、取得した前記計測結果に基づいて、前記判別対象となる複数の電気機器それぞれの電気的特徴量を計算する、特徴量計算部と、
前記判別対象となる複数の電気機器それぞれについて、
計算された前記電気的特徴量を、電気機器の種類毎に予め設定されている電気的特徴量に照合し、
そして、電気的特徴量が設定されている前記電気機器の種類毎に、当該電気機器と前記判別対象となる電気機器とのユークリッド距離を算出し、
電気的特徴量が設定されている前記電気機器の中から、前記ユークリッド距離が小さい順に、設定された数だけ、前記判別対象となる電気機器の種類の候補を選出する、候補選出部と、を備え、
前記管理装置は、２以上の電気機器を含む組合せ毎に当該２以上の電気機器が同時に用いられる可能性を示す出現係数が登録されたデータベースを用い、
前記判別対象となる複数の電気機器それぞれの前記候補を含む組合せ毎に、当該組み合わせを構成する各候補の前記ユークリッド距離の２乗の合計値を求め、更に、求めた合計値を、当該組み合わせに合致する前記出現係数で除算し、除算値に基づいて、１の組合せを選出し、選出した組合せに含まれる各候補を、前記判別対象となる複数の電気機器それぞれの種類と判別する、
ことを特徴とする電気機器判別システム。
【請求項５】
複数の電気機器の種類を判別するための方法であって、
（ａ）判別対象となる複数の電気機器それぞれについて、供給されている電圧、電流、及び電力のうち少なくとも１つの計測結果を取得し、取得した前記計測結果に基づいて、前記判別対象となる複数の電気機器それぞれの電気的特徴量を計算する、ステップと、
（ｂ）前記判別対象となる複数の電気機器それぞれについて、
前記（ａ）のステップで計算された前記電気的特徴量を、電気機器の種類毎に予め設定されている電気的特徴量に照合し、
そして、電気的特徴量が設定されている前記電気機器の種類毎に、当該電気機器と前記判別対象となる電気機器とのユークリッド距離を算出し、
電気的特徴量が設定されている前記電気機器の中から、前記ユークリッド距離が小さい順に、設定された数だけ、前記判別対象となる電気機器の種類の候補を選出する、ステップと、
（ｃ）２以上の電気機器を含む組合せ毎に当該２以上の電気機器が同時に用いられる可能性を示す出現係数が登録されたデータベースを用い、
前記判別対象となる複数の電気機器それぞれの前記候補を含む組合せ毎に、当該組み合わせを構成する各候補の前記ユークリッド距離の２乗の合計値を求め、更に、求めた合計値を、当該組み合わせに合致する前記出現係数で除算し、除算値に基づいて、１の組合せを選出し、選出した組合せに含まれる各候補を、前記判別対象となる複数の電気機器それぞれの種類と判別する、ステップと、
を有する、ことを特徴とする電気機器判別方法。
【請求項６】
コンピュータによって、複数の電気機器の種類を判別するためのプログラムであって、
前記コンピュータに、
（ａ）判別対象となる複数の電気機器それぞれについて、供給されている電圧、電流、及び電力のうち少なくとも１つの計測結果を取得し、取得した前記計測結果に基づいて、前記判別対象となる複数の電気機器それぞれの電気的特徴量を計算する、ステップと、
（ｂ）前記判別対象となる複数の電気機器それぞれについて、
前記（ａ）のステップで計算された前記電気的特徴量を、電気機器の種類毎に予め設定されている電気的特徴量に照合し、
そして、電気的特徴量が設定されている前記電気機器の種類毎に、当該電気機器と前記判別対象となる電気機器とのユークリッド距離を算出し、
電気的特徴量が設定されている前記電気機器の中から、前記ユークリッド距離が小さい順に、設定された数だけ、前記判別対象となる電気機器の種類の候補を選出する、ステップと、
（ｃ）２以上の電気機器を含む組合せ毎に当該２以上の電気機器が同時に用いられる可能性を示す出現係数が登録されたデータベースを用い、
前記判別対象となる複数の電気機器それぞれの前記候補を含む組合せ毎に、当該組み合わせを構成する各候補の前記ユークリッド距離の２乗の合計値を求め、更に、求めた合計値を、当該組み合わせに合致する前記出現係数で除算し、除算値に基づいて、１の組合せを選出し、選出した組合せに含まれる各候補を、前記判別対象となる複数の電気機器それぞれの種類と判別する、ステップと、
を実行させるプログラム。
【発明の詳細な説明】
【技術分野】
【０００１】
本発明は、使用されている電気機器の種類の判別に用いられる、電気機器判別装置、電気機器判別システム、及び電気機器判別方法に関し、更には、これらを実現するためのプログラムに関する。
【背景技術】
【０００２】
近年、企業等では、空調機器、照明機器、ＯＡ機器等の消費電力を管理して、無駄な電力消費を抑制するため、エネルギー管理システムの導入が進められている。エネルギー管理システムは、まず、オフィスで使用されている電気機器の種類を判別し、判別した電気機器毎に、消費電力量を計測する。その後、エネルギー管理システムは、計測結果を用いて、例えば、電力消費が無駄に行なわれていないか、電気機器において異常が発生していないか、といった判定を実行する（例えば、特許文献１〜３参照。）。
【０００３】
特許文献１は、電気機器の特徴量を検出する検出装置と管理装置とで構成されたシステムを開示している。特許文献１に開示されたシステムでは、各検出装置は、対応する電気機器と電源との間に設置される。そして、各検出装置は、対応する電気機器に供給される電流及び電圧を検出し、検出結果に基づいて、電流の大きさ、電流波形、電流と電圧とのピーク時の時間差などを表す電気的特徴量を算出し、算出した電気的特徴量を特定するデータ（特徴量データ）を管理装置に送信する。
【０００４】
管理装置は、各検出装置によって送信された特徴量データを受信し、この特徴量データを、予め電気機器毎の特徴量データが登録されたデータベースに照合して、特徴量データの取得元の電気機器の種類（機種）を判別する。そして、管理装置は、特定された機種について予め登録されている単位時間当たりの消費電力量と、特徴量データの受信時間とから、当該電気機器の消費電力を算出し、算出結果を表示画面に表示する。
【０００５】
また、特許文献２は、電気機器と電源との間に設置されるコンセントと管理装置とで構成されたシステムを開示している。特許文献２で開示されたシステムでは、コンセントが、特許文献１で開示された検出装置と同様に機能する。コンセントは、電気機器に供給された電流及び電圧を検出し、検出結果から特徴量を算出すると共に、算出した特徴量を管理サーバに送信する。
【０００６】
特許文献２に開示された管理装置は、特許文献１で開示された管理装置と同様に機能するが、更に、学習機能を備えている。即ち、特許文献２では、管理装置は、新たな電気機器についての特徴量が送信されてきた場合に、その特徴量をデータベースに登録して学習を行なうことができる。
【０００７】
その他、非特許文献１及び２も、特許文献１及び２と同様に、電気機器に供給される電流の波形から特徴量を算出し、算出した特徴量に基づいて電気機器の種類を判別する、技術を開示している。
【先行技術文献】
【特許文献】
【０００８】
【特許文献１】特開２００４−２２２３７５号公報
【特許文献２】特開２００８−１０９８４９号公報
【非特許文献】
【０００９】
【非特許文献１】伊藤雅仁、大亦寿之、井上智史、重野寛、岡田謙一、松下温著「消費電力波形の特徴を利用した家電機器検出手法と制御システム」、情報処理学会論文誌Vol.44(No.1)、２００３年、pp.95-105
【非特許文献２】田中昭雄、村越千春、中上英俊著「家庭の電力負荷計測値の要素分解手法について」、エネルギー・資源学会、第12回  エネルギーシステム・経済・環境コンファレンス講演論文集、１９９６年、pp.91-94
【発明の概要】
【発明が解決しようとする課題】
【００１０】
ところで、上述したように、特許文献１、特許文献２、非特許文献１、及び非特許文献２においては、電気機器の種類の判別処理が行なわれているが、判別処理は、電気的特徴量のみに基づいて行なわれている。このため、働きは異なるが、電気的に同様の回路を備えた複数の電気機器をそれぞれ区別することが、上記の判別処理では、困難になってしまう。
【００１１】
本発明の目的の一例は、上記問題を解消し、電気的特徴量のみでは判別が困難となる場合であっても、電気機器の種類を精度良く判別し得る、電気機器判別装置、電気機器判別システム、電気機器判別方法、及びプログラムを提供することにある。
【課題を解決するための手段】
【００１２】
上記目的を達成するため、本発明の一側面における電気機器判別装置は、電気機器の種類を判別するための装置であって、
判別対象となる電気機器に供給されている電圧、電流、及び電力のうち少なくとも１つの計測結果を取得し、取得した前記計測結果に基づいて、前記判別対象となる電気機器の電気的特徴量を計算する、特徴量計算部と、
計算された前記電気的特徴量を、電気機器の種類毎に予め設定されている電気的特徴量に照合して、前記判別対象となる電気機器の種類の候補を選出する、候補選出部と、
選出された前記候補の中から、電気機器における状況毎の出現の可能性を示す出現係数に基づいて、前記判別対象となる電気機器の種類を判別する、機器判別部と、
を備えている、ことを特徴とする。
【００１３】
上記目的を達成するため、本発明の一側面における電気機器判別システムは、電気機器の種類を判別するためのシステムであって、電気機器判別装置と、管理装置とを備え、
前記電気機器判別装置は、
判別対象となる電気機器に供給されている電圧、電流及び電力のうち少なくとも１つの計測結果を取得し、取得した前記計測結果に基づいて、前記判別対象となる電気機器の電気的特徴量を計算する、特徴量計算部と、
計算された前記電気的特徴量を、電気機器の種類毎に予め設定されている電気的特徴量に照合して、前記判別対象となる電気機器の種類の候補を選出する、候補選出部と、を備え、
前記管理装置は、前記電気機器判別装置によって選出された前記候補の中から、電気機器における状況毎の出現の可能性を示す出現係数に基づいて、前記判別対象となる電気機器の種類を判別する、ことを特徴とする。
【００１４】
また、上記目的を達成するため、本発明の一側面における電気機器判別方法は、電気機器の種類を判別するための方法であって、
（ａ）判別対象となる電気機器に供給されている電圧、電流、及び電力のうち少なくとも１つの計測結果を取得し、取得した前記計測結果に基づいて、前記判別対象となる電気機器の電気的特徴量を計算する、ステップと、
（ｂ）前記（ａ）のステップで計算された前記電気的特徴量を、電気機器の種類毎に予め設定されている電気的特徴量に照合して、前記判別対象となる電気機器の種類の候補を選出する、ステップと、
（ｃ）前記（ｂ）のステップで選出された前記候補の中から、電気機器における状況毎の出現の可能性を示す出現係数に基づいて、前記判別対象となる電気機器の種類を判別する、ステップと、を有する、ことを特徴とする。
【００１５】
更に、上記目的を達成するため、本発明の一側面におけるプログラムは、コンピュータによって、電気機器の種類を判別するためのプログラムであって、
前記コンピュータに、
（ａ）判別対象となる電気機器に供給されている電圧、電流、及び電力のうち少なくとも１つの計測結果を取得し、取得した前記計測結果に基づいて、前記判別対象となる電気機器の電気的特徴量を計算する、ステップと、
（ｂ）前記（ａ）のステップで計算された前記電気的特徴量を、電気機器の種類毎に予め設定されている電気的特徴量に照合して、前記判別対象となる電気機器の種類の候補を選出する、ステップと、
（ｃ）前記（ｂ）のステップで選出された前記候補の中から、電気機器における状況毎の出現の可能性を示す出現係数に基づいて、前記判別対象となる電気機器の種類を判別する、ステップと、
を実行させることを特徴とする。
【発明の効果】
【００１６】
以上のように、本発明によれば、電気的特徴量のみでは判別が困難となる場合であっても、電気機器の種類を精度良く判別することができる。
【図面の簡単な説明】
【００１７】
【図１】図１は、本発明の実施の形態１における電気機器判別装置の構成を示すブロック図である。
【図２】図２は、本発明の実施の形態１で用いられる特徴量データベースに登録されている電気的特徴量の一例を示す図である。
【図３】図３は、本発明の実施の形態１で用いられる出現係数データベースに登録されている出現係数の一例を示す図である。
【図４】図４は、本発明の実施の形態１における電気機器判別装置の動作を示すフロー図である。
【図５】図５は、本発明の実施の形態２における電気機器判別装置の構成を示すブロック図である。
【図６】図６は、本発明の実施の形態２で用いられる稼動係数データベースに登録されている稼動係数の一例を示す図である。
【図７】図７は、本発明の実施の形態２における電気機器判別装置の動作を示すフロー図である。
【図８】図８は、本発明の実施の形態３における電気機器判別装置の構成を示すブロック図である。
【図９】図９は、本発明の実施の形態３における電気機器判別装置の動作を示すフロー図である。
【図１０】図１０は、本発明の実施の形態４における電気機器判別装置の構成を示すブロック図である。
【図１１】図１１は、本発明の実施の形態４における電気機器判別装置の動作を示すフロー図である。
【図１２】図１２は、本発明の実施の形態４における管理装置の動作を示すフロー図である。
【図１３】図１３は、本発明の実施の形態５における電気機器判別装置の構成を示すブロック図である。
【図１４】図１４は、本発明の実施の形態５における電気機器判別装置の動作を示すフロー図である。
【図１５】図１５は、本発明の実施の形態１〜５における電気機器判別装置を実現するコンピュータの一例を示すブロック図である。
【発明を実施するための形態】
【００１８】
（実施の形態１）
以下、本発明の実施の形態１における、電気機器判別装置、電気機器判別方法、及びプログラムについて、図１〜図４を参照しながら説明する。
【００１９】
［装置構成］
最初に、図１を用いて、本実施の形態１における電気機器判別装置の構成について説明する。図１は、本発明の実施の形態１における電気機器判別装置の構成を示すブロック図である。
【００２０】
図１に示すように、本実施の形態１における電気機器判別装置１０１は、電気機器の種類を判別するための装置であり、特徴量計算部１０ａ及び１０ｂと、候補選出部２０と、機器判別部３０とを備えている。
【００２１】
特徴量計算部１０ａ及び１０ｂは、判別対象となる電気機器に供給されている電流、電圧、及び電力のうち少なくとも１つの計測結果を取得し、取得した計測結果に基づいて、判別対象となる電気機器の電気的特徴量を計算する。本実施の形態では、特徴量計算部１０ａは、電気機器１ａに対応し、特徴量計算部１０ｂは、電気機器１ｂに対応している。
【００２２】
図１の例では、判別対象として、電気機器１ａと電気機器１ｂとの２つが例示されているが、本実施の形態１において電気機機器の数は限定されるものではない。本実施の形態１では、判別対象となる電気機器の数に応じて、特徴量計算部が設けられる。
【００２３】
また、候補選出部２０は、特徴量計算部１０ａ及び１０ｂそれぞれで計算された電気的特徴量を、電気機器の種類（機種）毎に予め設定されている電気的特徴量に照合する。そして、候補選出部２０は、照合結果に基づいて、判別対象となる電気機器の種類の候補を選出する。
【００２４】
機器判別部３０は、候補選出部２０によって選出された候補の中から、各電気機器における状況毎の出現の可能性を示す出現係数に基づいて、判別対象となる電気機器１ａ及び１ｂの種類を判別する。なお、本実施の形態では、出現係数は、出現の可能性が高い程、値が高くなるように設定されている。
【００２５】
このように、本実施の形態では、電気機器の種類の判別において、電気的特徴量に加えて、各電気機器について状況毎に予め設定された出現係数も用いられるので、働きは異なるが、電気的に同様の回路を備えた複数の電気機器を区別することが容易となる。つまり、本実施の形態によれば、電気的特徴量のみでは判別が困難となる場合であっても、電気機器の種類を精度良く判別することが可能となる。
【００２６】
ここで、図１に加えて図２及び図３を用いて、本実施の形態１における電気機器判別装置１０１の構成について更に具体的に説明する。まず、本実施の形態１において、電気機器は特に限定されず、電力を消費する機器であれば良い。具体例としては、デスクトップ型のパーソナルコンピュータ（デスクトップＰＣ）、ノート型のパーソナルコンピュータ（ノートＰＣ）、液晶テレビ、照明器具、コピー機、ファクシミリ、プリンタ、空調機器等が挙げられる。
【００２７】
本実施の形態１では、電気機器判別装置１０１は、後述するように、コンピュータによって構築され、更に、計測装置３ａ及び計測装置３ｂに接続されている。このうち、計測装置３ａは、電源２と電気機器１ａとを結ぶ電源ライン上に配置されており、電気機器１ａに供給されている電流、電圧、及び電力のうち少なくとも１つを計測し、計測結果を電気機器判別装置１０１に出力する。また、計測装置３ｂは、電源２と電気機器１ｂとを結ぶ電源ライン上に配置されており、電気機器１ｂに供給されている電流、電圧、及び電力のうち少なくとも１つを計測し、計測結果を電気機器判別装置１０１に出力する。なお、計測装置の数は限定されず、計測装置は、判別対象となる電気機器の数に応じて設置される。
【００２８】
本実施の形態では、計測装置３ａ及び３ｂは、共に、電流、電圧、電力の全てについて、設定された間隔で定期的に、例えば、０．１ｍｓ間隔で１００ｍｓ程度計測を行なう。そして、計測装置３ａ及び３ｂは、計測の度に、計測結果を対応する特徴量計算部に出力する。具体的には、計測装置３ａ及び３ｂは、それぞれ、電流値を特定する電流情報（ex.0.40[A],0.41[A],0.42[A],0.43[A],0.45[A],...）、電圧値を特定する電圧情報（ex.80.0[V],81.2[V],82.3[V],83.5[V],84.7[V],...）、及び電力値を特定する電力情報（ex.32.0[VA],33.3[VA],34.6[VA],35.9[VA],38.1[VA],...）を、対応する特徴量計算部に出力する。
【００２９】
また、計測装置３ａ及び３ｂから電気機器判別装置１０１への計測結果の出力は、有線によって行なわれていても良いし、無線によって行なわれていても良い。更に、計測装置３ａ及び３ｂは、電気機器判別装置１０１から独立した装置であって良いし、電気機器判別装置１０１を構築しているコンピュータのスロットに接続される拡張ボードであっても良い。
【００３０】
また、本実施の形態において、特徴量計算部１０ａ及び１０ｂによって算出される電気的特徴量の具体例としては、電流実効値、電流ピーク値、電流尖度、波高率、最小電力値、電圧に対する電流の位相のズレ、電流実効値と最小電力値との比率、力率、等が挙げられる。特徴量計算部１０ａ及び１０ｂは、上記の具体例のうちの少なくとも１つを算出する。
【００３１】
更に、本実施の形態では、電気機器判別装置１０１は、特徴量計算部１０ａ、特徴量計算部１０ｂ、候補選出部２０、及び機器判別部３０に加えて、特徴量データベース４０と、出現係数データベース５０とを備えている。また、電気機器判別装置１０１には、表示装置、プリンタ等の出力装置６０が接続されている。
【００３２】
このうち、特徴量データベース４０は、図２に示すように、電気機器の種類（機種）毎に上述した各電気的特徴量を登録している。よって、本実施の形態１では、候補選出部２０は、特徴量計算部によって計算された電気的特徴量を、特徴量データベース４０に照合し、機種の候補を選出する。なお、候補の選出は、電気機器１ａ及び１ｂそれぞれ毎に行なわれる。図２は、本発明の実施の形態１で用いられる特徴量データベースに登録されている電気的特徴量の一例を示す図である。
【００３３】
また、出現係数データベース５０は、各電気機器について状況毎に予め設定された出現係数を登録している。本実施の形態１では、判別対象となる電気機器が複数存在しているため、出現係数としては、図３に示すように、２以上の電気機器を含む組合せ毎の、各組合せに含まれる２以上の電気機器が同時に用いられる可能性を示す係数が用いられる。
【００３４】
図３は、本発明の実施の形態１で用いられる出現係数データベースに登録されている出現係数の一例を示す図である。例えば、デスクトップＰＣと液晶ディスプレイとは同時に使用されやすいので、この組合せが用いられる可能性は高くなる。従って、図３に示すように、デスクトップＰＣと液晶ディスプレイとの組合せについての出現係数は、最も高い値「３」に設定されている。一方、ヒーターとクーラーとの組合せについては、両者は同時に使用されにくいので、この組合せについての出現係数は、最も低い値「０．１」に設定されている。
【００３５】
また、本実施の形態１では、機器判別部２０は、図３に示す出現係数に基づいて、電気機器１０ａ及び１０ｂそれぞれの候補を含む組合せの中から、１の組合せを選出し、選出した組合せに含まれる各候補を、電気機器１０ａ及び１０ｂそれぞれの種類と判別する。
【００３６】
［装置動作］
次に、本発明の実施の形態１における電気機器判別装置１０１の動作について図４を用いて説明する。図４は、本発明の実施の形態１における電気機器判別装置の動作を示すフロー図である。以下の説明においては、適宜図１〜図３を参酌する。また、本実施の形態１では、電気機器判別装置１０１を動作させることによって、電気機器判別方法が実施される。よって、本実施の形態１における電気機器判別方法の説明は、以下の電気機器判別装置１０１の動作説明に代える。
【００３７】
まず、前提として、電源２から電気機器１ａ及び１ｂに電力が供給されて、電気機器１ａ及び１ｂが稼動する。そして、計測装置３ａ及び３ｂが、電圧、電流、及び電力を計測し、計測結果を、設定された間隔で、対応する特徴量計算部に出力する。
【００３８】
図４に示すように、特徴量計算部１０ａ及び１０ｂは、対応する計測装置から、計測結果として、電圧情報、電流情報及び電力情報を取得する（ステップＳ１１）。次に、特徴量計算部１０ａ及び１０ｂは、取得した、電圧情報、電流情報及び電力情報に基づいて、判別対象となる電気機器の電気的特徴量を計算する（ステップＳ１２）。
【００３９】
具体的には、ステップＳ１２では、特徴量計算部１０ａ及び１０ｂは、それぞれ、電気的特徴量として、電流実効値、電流ピーク値、電流尖度、波高率、最小電力値、電圧に対する電流の位相のズレ、電流実効値と最小電力値との比率、力率を計算する。計算された電気的特徴量の例としては、［電流実効値＝０．６Ａ、電流ピーク＝０．８４Ａ、電流尖度＝１．２、波高率＝１．５、最小電力値＝−２ＶＡ、電圧に対する電流の位相のズレ＝０．２ｍｓ、電流実効値と最小電力値との比率＝−３．３、及び力率＝０．９８］等が挙げられる。
【００４０】
次に、候補選出部２０は、電気機器１ａ及び１ｂそれぞれ毎に、対応する特徴量計算部によって計算された特徴量を、特徴量データベース４０（図２参照）に照合し、照合結果に基づいて、電気機器の種類の候補を選出する（ステップＳ１３）。
【００４１】
具体的には、候補選出部２０は、ステップＳ１２で得られた特徴量を用いて、特徴量データベース４０に登録されている電気機器の機種（図２参照）毎に、各機種の代表点から、判別対象となる電気機器までのユークリッド距離を算出する。そして、候補選出部２０は、算出したユークリッド距離が小さい順に、設定された数だけ、電気機器の機種を候補として選出する。なお、上述の候補の選出処理（マッチング処理）は、一例であり、本実施の形態１では他の選出処理が用いられても良い。
【００４２】
例えば、図２の例において、ユークリッド距離の算出結果が、デスクトップＰＣ−１では「３．４５」、ノートＰＣ−１では「６．２３」、液晶テレビ−１では「５．００」、扇風機−１では４０．８であったとする。この場合、候補選出部２０は、ユークリッド距離が小さい順に、デスクトップＰＣ−１を第１候補、液晶テレビ−１を第２候補、ノートＰＣ−１を第３候補として選出する。
【００４３】
次に、機器判別部３０は、電気機器１ａ及び１ｂそれぞれについて、ステップＳ１３で選出された候補の中から、出現係数（図３参照）に基づいて、機種を判別する（ステップＳ１４）。なお、図３に示したように、出現係数データベース５０には、電気機器の組合せ毎の出現係数が登録されている。
【００４４】
具体的には、機器判別部３０は、まず、電気機器１ａについての候補と電気機器１ｂについての候補との、それぞれから候補を選択して、組合せを設定する。次に、機器判別部３０は、組合せ毎に、各組合せに含まれる各候補のユークリッド距離（ステップＳ１３参照）の２乗を求め、求めた各値を加算する。更に、機器判定部３０は、組合せ毎に得られた加算値を、各組合せに対応する出現係数（図３参照）で除算し、除算値が最小となる組合せを特定し、特定した組合せを、電気機器１ａ及び１ｂの機種に決定する。
【００４５】
例えば、電気機器１ａの候補として、デスクトップＰＣ−１（ユークリッド距離：２）、液晶テレビ−１（ユークリッド距離：４）、第３候補のノートＰＣ−１（ユークリッド距離：６）が選出されているとする。また、電気機器１ｂの候補として、液晶テレビ−１（ユークリッド距離：３）、液晶ディスプレイ−１（ユークリッド距離：４）、ノートＰＣ（ユークリッド距離：６）が選出されているとする。
【００４６】
上記の場合、除算値は、デスクトップＰＣ−１と液晶テレビ−１との組合せでは「２６」となり、デスクトップＰＣ−１と液晶ディスプレイ−１との組合せでは「６．７」となる。結果、機器判別部３０は、デスクトップＰＣ−１と液晶ディスプレイ−１との組合せを特定し、電気機器１ａの機種をデスクトップＰＣ−１に決定し、電気機器１ｂの機種を液晶ディスプレイ−１に決定する。なお、上述の機種の判別処理は、一例であり、本実施の形態１では他の判別処理が用いられても良い。
【００４７】
その後、機器判別部３０は、ステップＳ１４の結果を、出力装置６０に出力する（ステップＳ１５）。これにより、出力装置６０の画面上には、電気機器１ａの機種名と電気機器１ｂの機種名とが表示される。ステップＳ１５の実行により、電気機器判別装置１０１における処理は一旦終了する。なお、ステップＳ１１〜Ｓ１５は、設定時間の経過後に繰り返し実行されても良い。
【００４８】
［プログラム］
本実施の形態１におけるプログラムは、コンピュータに、図４に示すステップＳ１１〜Ｓ１５を実行させるプログラムであれば良い。このプログラムをコンピュータにインストールし、実行することによって、本実施の形態１における電気機器判別装置１０１と電気機器判別方法とを実現することができる。この場合、コンピュータのＣＰＵ（Central Processing Unit）は、特徴量計算部１０ａ、特徴量計算部１０ｂ、候補選出部２０、及び機器判別部３０として機能し、処理を行なう。また、コンピュータに備えられたハードディスク等の記憶装置の記憶領域において、特徴量データベース４０と出現係数データベース５０とが構築される。
【００４９】
［実施の形態１による効果］
以上のように本実施の形態１によれば、電気機器の種類の判別において、電気的特徴量に加えて、複数の電気機器が同時に使用される可能性が考慮される。よって、電気的特徴量が類似している複数の電気機器が候補として挙げられている場合であっても、いずれであるかを確実に区別することができる。本実施の形態１によれば、電気的特徴量のみでは判別が困難となる場合であっても、電気機器の種類を精度良く判別することが可能となる。
【００５０】
（実施の形態２）
次に、本発明の実施の形態２における、電気機器判別装置、電気機器判別方法、及びプログラムについて、図５〜図７を参照しながら説明する。
【００５１】
［装置構成］
最初に、図５を用いて、本実施の形態２における電気機器判別装置の構成について説明する。図５は、本発明の実施の形態２における電気機器判別装置の構成を示すブロック図である。
【００５２】
図５に示すように、本実施の形態２における電気機器判別装置１０２は、図１に示した電気機器判別装置１０１と異なり、候補選出部２１と、稼動係数データベース４１とを備えている。候補選出部２１は、候補の選出処理において、図１に示した候補選出部２０と異なっている。以下、実施の形態１との相違点について具体的に説明する。なお、本実施の形態２における電気機器判別装置１０２は、上記の点以外については、実施の形態１における電気機器判別装置１０１と同様に構成されている。
【００５３】
本実施の形態２では、候補選出部２１は、電気的特徴量に加えて、稼動係数を用いて、判別対象となる電気機器の種類の候補を選出する。稼動係数は、電気機器における、状況毎の稼動している可能性を示す係数であり、稼動係数データベース４１に登録されている。
【００５４】
図６は、本発明の実施の形態２で用いられる稼動係数データベースに登録されている稼動係数の一例を示す図である。図６に示すように、稼動係数データベース４１は、電気機器毎に、状況別の稼動係数を登録している。図６の例では、状況は、「夜間」、「昼間」、「低温期（冬期）」、「中温期（春／秋期）」、「高温期（夏期）」の５つに分けられている。
【００５５】
例えば、共稼ぎの一般家庭をモデルとすると、昼間は、人がいない時間帯であり、このときにテレビ、ヒーター、及びクーラーが稼動している可能性は低くなるので、これらの昼間の稼動係数の値は夜間の稼動係数の値よりも低くなる。なお、図６には例示されていないが、上記モデルの昼間であっても、冷蔵庫及びレコーダーについては、稼動している可能性は高くなる。
【００５６】
また、クーラーは、高温期（夏期）において稼働率が最も高くなるので、クーラーの高温期（夏期）における稼動係数の値も高くなる。一方、ヒーターは、高温期（夏期）において稼働率が最も低くなるので、ヒーターの高温期（夏期）における稼動係数の値も低くなる。
【００５７】
［装置動作］
次に、本発明の実施の形態２における電気機器判別装置１０２の動作について図７を用いて説明する。図７は、本発明の実施の形態２における電気機器判別装置の動作を示すフロー図である。以下の説明においては、適宜図５及び図６を参酌する。また、本実施の形態２では、電気機器判別装置１０２を動作させることによって、電気機器判別方法が実施される。よって、本実施の形態２における電気機器判別方法の説明は、以下の電気機器判別装置１０１の動作説明に代える。
【００５８】
まず、本実施の形態２においても、実施の形態１と同様に、前提として、電源２から電気機器１ａ及び１ｂに電力が供給されて、電気機器１ａ及び１ｂが稼動する。そして、計測装置３ａ及び３ｂが、電圧、電流、及び電力を計測し、計測結果を、設定された間隔で、対応する特徴量計算部に出力する。
【００５９】
図７に示すように、特徴量計算部１０ａ及び１０ｂは、対応する計測装置から、計測結果として、電圧情報、電流情報及び電力情報を取得する（ステップＳ２１）。次に、特徴量計算部１０ａ及び１０ｂは、取得した、電圧情報、電流情報及び電力情報に基づいて、判別対象となる電気機器の電気的特徴量を計算する（ステップＳ２２）。ステップＳ２１及びＳ２２は、それぞれ図４に示したステップＳ１１及びＳ１２と同様に実行される。
【００６０】
次に、候補選出部２１は、まず、電気機器１ａ及び１ｂそれぞれ毎に、対応する特徴量計算部によって計算された特徴量と、特徴量データベース４０と、稼動係数データベース４１とを用いて、電気機器の種類の候補を選出する（ステップＳ２３）。
【００６１】
具体的には、候補選出部２１は、ステップＳ２２で得られた特徴量を用いて、特徴量データベース４０に登録されている電気機器の機種（図２参照）毎に、各機種の代表点から、判別対象となる電気機器までのユークリッド距離を算出する。続いて、候補選出部２１は、機種毎のユークリッド距離を、稼動係数データベース４１に登録されている稼動係数によって除算し、除算値を、機種毎の新たなユークリッド距離とする。
【００６２】
例えば、特徴量データベース（図２参照）によって、扇風機のユークリッド距離が「５」と算出されている場合において、現在、中温期の昼間であるとすると、新たなユークリッド距離は、１００（＝５／０．１／０．５）となる。
【００６３】
次に、機器判別部３０は、電気機器１ａ及び１ｂそれぞれについて、ステップＳ２３で選出された候補の中から、出現係数（図３参照）に基づいて、機種を判別する（ステップＳ２４）。ステップＳ２４は、図４に示したステップＳ１４と同様に実行される。
【００６４】
その後、機器判別部３０は、ステップＳ２４の結果を、出力装置６０に出力する（ステップＳ２５）。ステップＳ２５は、図４に示したステップＳ１５と同様に実行される。これにより、出力装置６０の画面上には、電気機器１ａの機種名と電気機器１ｂの機種名とが表示される。ステップＳ２５の実行により、電気機器判別装置１０２における処理は一旦終了する。なお、ステップＳ２１〜Ｓ２５は、設定時間の経過後に繰り返し実行されても良い。
【００６５】
［プログラム］
本実施の形態２におけるプログラムは、コンピュータに、図７に示すステップＳ２１〜Ｓ２５を実行させるプログラムであれば良い。このプログラムをコンピュータにインストールし、実行することによって、本実施の形態２における電気機器判別装置１０２と電気機器判別方法とを実現することができる。この場合、コンピュータのＣＰＵ（Central Processing Unit）は、特徴量計算部１０ａ、特徴量計算部１０ｂ、候補選出部２１、及び機器判別部３０として機能し、処理を行なう。また、コンピュータに備えられたハードディスク等の記憶装置の記憶領域において、特徴量データベース４０と、出現係数データベース５０と、稼動係数データベース４１とが構築される。
【００６６】
［実施の形態２による効果］
以上のように本実施の形態２によれば、実施の形態１よりも、候補の選出を精度良く行なうことが可能となる。よって、本実施の形態２によれば、電気的特徴量のみでは判別が困難となる場合に、電気機器の種類をよりいっそう精度良く判別することが可能となる。
【００６７】
（実施の形態３）
次に、本発明の実施の形態３における、電気機器判別装置、電気機器判別方法、及びプログラムについて、図８を参照しながら説明する。
【００６８】
［装置構成］
最初に、図８を用いて、本実施の形態３における電気機器判別装置の構成について説明する。図８は、本発明の実施の形態３における電気機器判別装置の構成を示すブロック図である。
【００６９】
図８に示すように、本実施の形態３における電気機器判別装置１０３は、図１に示した電気機器判別装置１０１と異なり、計測装置４に接続されており、そのため、図１に示した特徴量計算部１０ａ及び１０ｂの代わりに、特徴量計算部１１を備えている。また、電気機器判別装置１０３も、図５に示した実施の形態２における電気機器判別装置１０２と同様に、候補選出部２１と稼動係数データベース４１とを備えている。
【００７０】
以下、実施の形態１及び２との相違点について具体的に説明する。なお、本実施の形態３における電気機器判別装置１０３は、上記の点以外については、実施の形態１における電気機器判別装置１０１と同様に構成されている。
【００７１】
本実施の形態３では、図８に示すように、判定対象となる電気機器１ａ及び１ｂは、共に、計測装置４に接続されている。即ち、計測装置４は、電源２と電気機器１ａと結ぶ電源ライン、及び電源２と電気機器１ｂとを結ぶ電源ラインの二つの上に配置されている。計測装置４は、電気機器毎に、電流、電圧、及び電力のうち少なくとも１つを計測し、計測結果を電気機器判別装置１０３に出力する。
【００７２】
具体的には、図８に示すように、計測装置４は、入力切替部４ａと、計測部４ｂとを備えている。このうち、入力切替部４ａは、定期的にまたは外部からの指示に応じて、計測部４ｂの入力の切り替えを行なっており、計測部４ｂをいずれかの電源ラインに接続させる。計測部４ｂは、電流計、電圧計、電圧計のうち少なくとも一つを備えており、接続された電源ラインに供給されている電流、電圧、及び電力のうち少なくとも１つを計測し、計測結果を特徴量計算部１１に出力する。
【００７３】
また、特徴量計算部１１は、特徴量計算部１０ａ及び１０ｂと同様に、判別対象となる電気機器に供給されている電流、電圧、及び電力のうち少なくとも１つの計測結果を取得し、取得した計測結果に基づいて、判別対象となる電気機器の電気的特徴量を計算する。但し、本実施の形態３では、特徴量計算部１１は、入力切替部４ａによる切り替えに合せて、電気機器毎に、電気的特徴量を計算する。
【００７４】
［装置動作］
次に、本発明の実施の形態３における電気機器判別装置１０３の動作について図９を用いて説明する。図９は、本発明の実施の形態３における電気機器判別装置の動作を示すフロー図である。以下の説明においては、適宜図８を参酌する。また、本実施の形態３では、電気機器判別装置１０３を動作させることによって、電気機器判別方法が実施される。よって、本実施の形態３における電気機器判別方法の説明は、以下の電気機器判別装置１０３の動作説明に代える。
【００７５】
まず、本実施の形態３においても、実施の形態１と同様に、前提として、電源２から電気機器１ａ及び１ｂに電力が供給されて、電気機器１ａ及び１ｂが稼動する。但し、本実施の形態３では、計測装置４は、まず、１つの電気機器を選択し、選択した電気機器の電圧、電流、及び電力を計測し、計測結果を、設定された間隔で、対応する特徴量計算部に出力する。
【００７６】
図９に示すように、特徴量計算部１１は、計測装置４の計測部４ｂから、計測結果として、電圧情報、電流情報及び電力情報を取得する（ステップＳ３１）。次に、特徴量計算部１１は、取得した、電圧情報、電流情報及び電力情報に基づいて、判別対象となる電気機器の電気的特徴量を計算する（ステップＳ３２）。ステップＳ３１及びＳ３２は、それぞれ図４に示したステップＳ１１及びＳ１２と同様に実行される。
【００７７】
次に、特徴量計算部１１は、全ての電気機器（図８の例では、電気機器１ａ及び１ｂ）についてステップＳ３１及びＳ３２が実行されているかどうかを判定する（ステップＳ３３）。ステップＳ３３の判定の結果、全ての電気機器についてステップＳ３１及びＳ３２が実行されていない場合は、特徴量計算部１１は、ステップＳ３１及びＳ３２が実行されていない電気機器を対象にして、再度、ステップＳ３１及びＳ３２を実行する。
【００７８】
一方、ステップＳ３３の判定の結果、全ての電気機器についてステップＳ３１及びＳ３２が実行されている場合は、特徴量計算部１１は、そのことを、候補選出部２１に通知する。これにより、候補選出部２１は、まず、電気機器１ａ及び１ｂそれぞれ毎に、特徴量計算部１１によって計算された特徴量と、特徴量データベース４０と、稼動係数データベース４１とを用いて、電気機器の種類の候補を選出する（ステップＳ３４）。ステップＳ３４は、図７に示したステップＳ２３と同様に実行される。
【００７９】
次に、機器判別部３０は、電気機器１ａ及び１ｂそれぞれについて、ステップＳ３４で選出された候補の中から、出現係数（図３参照）に基づいて、機種を判別する（ステップＳ３５）。ステップＳ３５は、図４に示したステップＳ１４と同様に実行される。
【００８０】
その後、機器判別部３０は、ステップＳ３５の結果を、出力装置６０に出力する（ステップＳ３６）。ステップＳ３６は、図４に示したステップＳ１５と同様に実行される。これにより、出力装置６０の画面上には、電気機器１ａの機種名と電気機器１ｂの機種名とが表示される。ステップＳ３６の実行により、電気機器判別装置１０３における処理は一旦終了する。なお、ステップＳ３１〜Ｓ３６は、設定時間の経過後に繰り返し実行されても良い。
【００８１】
［プログラム］
本実施の形態３におけるプログラムは、コンピュータに、図９に示すステップＳ３１〜Ｓ３６を実行させるプログラムであれば良い。このプログラムをコンピュータにインストールし、実行することによって、本実施の形態３における電気機器判別装置１０３と電気機器判別方法とを実現することができる。この場合、コンピュータのＣＰＵ（Central Processing Unit）は、特徴量計算部１１、候補選出部２１、及び機器判別部３０として機能し、処理を行なう。また、コンピュータに備えられたハードディスク等の記憶装置の記憶領域において、特徴量データベース４０と、出現係数データベース５０と、稼動係数データベース４１とが構築される。
【００８２】
［実施の形態３による効果］
以上のように本実施の形態３によれば、電気機器毎に計測装置を設置しなくても良いため、システム全体のコストを低減することができる。また、本実施の形態３による場合も、実施の形態１及び２と同様に、電気的特徴量のみでは判別が困難となる場合に、電気機器の種類を精度良く判別することが可能となる。
【００８３】
（実施の形態４）
次に、本発明の実施の形態４における、電気機器判別装置、電気機器判別方法、及びプログラムについて、図１０〜図１２を参照しながら説明する。
【００８４】
［装置構成］
最初に、図１０を用いて、本実施の形態４における電気機器判別装置の構成について説明する。図１０は、本発明の実施の形態４における電気機器判別装置の構成を示すブロック図である。
【００８５】
図１０に示すように、本実施の形態４では、電気機器判別装置として、電気機器判別装置１０４ａと電気機器判別装置１０４ｂとの２つが用いられており、更に、これらは、管理装置１０４ｃと共に、電気機器判別システム１０４を構築している。また、本実施の形態４では、実施の形態１〜３異なり、電気機器判別装置１０４ａ及び１０４ｂは、電気的特徴量の計算と候補の選出のみを実行し、電気機器の判別は、管理装置１０４ｃによって実行される。以下に、各装置の構成について具体的に説明する。
【００８６】
まず、図１０に示すように、本実施の形態４でも、実施の形態１と同様に、計測装置３ａは、電気機器１ａに供給されている電流、電圧、及び電力のうち少なくとも１つを計測する。また、計測装置３ｂは、電気機器１ｂに供給されている電流、電圧、及び電力のうち少なくとも１つを計測する。
【００８７】
但し、本実施の形態４では、実施の形態１と異なり、計測装置３ａは、計測結果を電気機器判別装置１０４ａに出力し、計測装置３ｂは、計測結果を電気機器判別装置１０４ｂに出力する。また、電気機器１ａ及び１ｂは別々の電源に接続されている。
【００８８】
また、図１０に示すように、電気機器判別装置１０４ａ及び１０４ｂは、それぞれ、特徴量計算部１２と、候補選出部２２と、特徴量データベース４０と、稼動係数データベース４１とを備えているが、機器判別部（図１参照）を備えていない構成となっている。更に、電気機器判別装置１０４ａ及び１０４ｂは、機器判別部（図１参照）を備えていない代わりに、通信部２３を備えている。なお、特徴量データベース４０は、図２に示したものと同様であり、稼動係数データベース４１は、図６に示したものと同様である。
【００８９】
つまり、特徴量計算部１２は、特徴量計算部１０ａ及び１０ｂ（図１参照）と同様の機能を備えており、対応する電気機器（１ａまたは１ｂ）の電気的特徴量を計算する。また、候補選出部２２は、図５に示した候補選出部２１と同様に、特徴量データベース４０及び稼動係数データベース４１を用いて、対応する電気機器（１ａまたは１ｂ）の種類の候補を選出する。しかしながら、本実施の形態４では、電気機器判別装置１０４ａ及び１０４ｂにおいて、電気機器の機種の判別は行なわれず、候補選出部２２によって選出された候補は、通信部２３によって管理装置１０４ｃに通知される。
【００９０】
図１０に示すように、管理装置１０４ｃは、各電気機器判別装置からの通知を受信する通信部７１と、機器判別部７２と、出現率データベース７３とを備えている。機器判別部７２は、図１に示した機器判別部３０と同様の機能を備えており、出現率データベース７３を利用して、通知された各電気機器の候補の中から、判別対象となる電気機器１ａ及び１ｂの種類を判別する。また、出現率データベース７３は、図３に示したものと同様である。
【００９１】
なお、図１０の例では、判別対象として、電気機器１ａと電気機器１ｂとの２つが例示されているが、本実施の形態４においても電気機器の数は限定されるものではない。本実施の形態４では、電気機器判別装置は、判別対象となる電気機器の数に応じて設置される。
【００９２】
［装置動作］
次に、本発明の実施の形態４における電気機器判別システム１０４の動作について図１１及び図１２を用いて説明する。なお、以下の説明においては、適宜図１０を参酌する。また、本実施の形態４では、電気機器判別システム１０４を動作させることによって、電気機器判別方法が実施される。よって、本実施の形態４における電気機器判別方法の説明は、以下の電気機器判別システム１０４の動作説明に代える。
【００９３】
最初に、図１１を用いて、本実施の形態４における電気機器判別装置１０４ａ及び１０４ｂの動作について説明する。図１１は、本発明の実施の形態４における電気機器判別装置の動作を示すフロー図である。なお、電気機器判別装置１０４ａ及び１０４ｂの動作は同一である。
【００９４】
まず、本実施の形態４においては、前提として、電源２ａから電気機器１ａに電力が供給されて、電気機器１ａが稼動し、電源２ｂから電気機器１ｂに電力が供給されて、電気機器１ｂが稼動する。そして、計測装置３ａ及び３ｂそれぞれが、電圧、電流、及び電力を計測し、計測結果を、設定された間隔で、対応する電気機器判別装置に出力する。
【００９５】
図１１に示すように、特徴量計算部１２は、対応する計測装置から、計測結果として、電圧情報、電流情報及び電力情報を取得する（ステップＳ４１）。次に、特徴量計算部１２は、取得した、電圧情報、電流情報及び電力情報に基づいて、判別対象となる電気機器の電気的特徴量を計算する（ステップＳ４２）。ステップＳ４１及びＳ４２は、それぞれ図４に示したステップＳ１１及びＳ１２と同様に実行される。
【００９６】
次に、候補選出部２２は、特徴量計算部１２によって計算された特徴量と、特徴量データベース４０と、稼動係数データベース４１とを用いて、対応する電気機器の種類の候補を選出する（ステップＳ４３）。ステップＳ４３は、図７に示したステップＳ２３と同様に実行される。
【００９７】
次に、通信部２３は、ステップＳ４３によって選出された候補を、管理装置１０４ｃに通知する（ステップＳ４４）。ステップＳ４４の実行により、電気機器判別装置１０４ａ及び１０４ｂにおける処理は一旦終了する。なお、ステップＳ４１〜Ｓ４４は、設定時間の経過後に繰り返し実行されても良い。
【００９８】
続いて、図１２を用いて、本実施の形態４における管理装置１０４ｃの動作について説明する。図１２は、本発明の実施の形態４における管理装置の動作を示すフロー図である。
【００９９】
図１２に示すように、電気機器判別装置１０４ａ及び１０４ｂの両方から、候補が通知されると、管理装置１０４ｃにおいて、通信部７１は、これらを受信する（ステップＳ４５）。
【０１００】
次に、機器判別部７２は、電気機器１ａ及び１ｂそれぞれについて、各電気機器判別装置によって選出された候補の中から、出現係数データベース７３に登録されている出現係数（図３参照）に基づいて、機種を判別する（ステップＳ４６）。ステップＳ４６は、図４に示したステップＳ１４と同様に実行される。 
【０１０１】
その後、機器判別部７２は、ステップＳ２４の結果を、出力装置６０に出力する（ステップＳ４７）。ステップＳ４７は、図４に示したステップＳ１５と同様に実行される。これにより、出力装置６０の画面上には、電気機器１ａの機種名と電気機器１ｂの機種名とが表示される。ステップＳ４７の実行により、管理装置１０４ｃにおける処理は一旦終了する。
【０１０２】
［プログラム］
本実施の形態４における第１のプログラムは、コンピュータに、図１１に示すステップＳ４１〜Ｓ４４を実行させるプログラムであれば良い。このプログラムをコンピュータにインストールし、実行することによって、本実施の形態４における電気機器判別装置１０４ａまたは１０４ｂを実現することができる。この場合、コンピュータのＣＰＵ（Central Processing Unit）は、特徴量計算部１２、候補選出部２２、及び通信部２３として機能し、処理を行なう。また、コンピュータに備えられたハードディスク等の記憶装置の記憶領域において、特徴量データベース４０と、稼動係数データベース４１とが構築される。
【０１０３】
また、本実施の形態４における第２のプログラムは、コンピュータに、図１２に示すステップＳ４５〜Ｓ４７を実行させるプログラムであれば良い。このプログラムをコンピュータにインストールし、実行することによって、本実施の形態４における管理装置１０４ｃを実現することができる。この場合、コンピュータのＣＰＵ（Central Processing Unit）は、通信部７１及び機器判別部３２として機能し、処理を行なう。また、コンピュータに備えられたハードディスク等の記憶装置の記憶領域において、出現係数データベース７３が構築される。
【０１０４】
［実施の形態４による効果］
以上のように本実施の形態４では、電気機器毎に電気機器判別装置が設置されるため、電気機器判別装置における負担を軽減することができる。また、本実施の形態４による場合も、実施の形態１〜３と同様に、電気的特徴量のみでは判別が困難となる場合に、電気機器の種類を精度良く判別することが可能となる。
【０１０５】
（実施の形態５）
次に、本発明の実施の形態５における、電気機器判別装置、電気機器判別方法、及びプログラムについて、図１３及び図１４を参照しながら説明する。
【０１０６】
［装置構成］
最初に、図１３を用いて、本実施の形態５における電気機器判別装置の構成について説明する。図１３は、本発明の実施の形態５における電気機器判別装置の構成を示すブロック図である。
【０１０７】
図１３に示すように、本実施の形態５でも、実施の形態１と同様に、計測装置３ａは、電気機器１ａに供給されている電流、電圧、及び電力のうち少なくとも１つを計測する。更に、計測装置３ｂは、電気機器１ｂに供給されている電流、電圧、及び電力のうち少なくとも１つを計測する。
【０１０８】
但し、図１３に示すように、本実施の形態５では、電気機器判別装置１０５ａ及び１０５ｂが用いられ、それぞれは、異なる電気機器を判定対象としている。つまり、電気機器判別装置１０５ａは、電気機器１ａを判別対象としており、計測装置３ａは、計測結果を電気機器判別装置１０５ａに出力する。また、電気機器判別装置１０５ｂは、電気機器１ｂを判別対象としており、計測装置３ｂは、計測結果を電気機器判別装置１０５ｂに出力する。電気機器１ａ及び１ｂは別々の電源に接続されている。
【０１０９】
更に、本実施の形態５では、電気機器判別装置１０５ａ及び１０５ｃは、通信部２５を備え、互いに通信可能となっている。具体的には、電気機器判別装置１０５ａの通信部２５は、電気機器判別装置１０５ｂから、それが選出した候補の通知を受信し、更に、電気機器判別装置１０５ａが選出した候補の通知を、電気機器判別装置１０５ｂに送信する。
【０１１０】
このため、電気機器判別装置１０５ａの機器判別部３１は、出現係数（図３参照）を用いて、判別対象となる電気機器１ａの候補と電気機器判別装置１０５ｂから通知された候補との組合せの中から１の組合せを選出する。そして、機器判別部３１は、選出した組合せに含まれる、判別対象となる電気機器１ａの候補を、判別対象となる電気機器１ａの種類と判別する。
【０１１１】
同様に、電気機器判別装置１０５ｂの通信部２５は、電気機器判別装置１０５ａから候補の通知を受信し、電気機器判別装置１０５ｂが選出した候補の通知を、電気機器判別装置１０５ａに送信する。
【０１１２】
また、電気機器判別装置１０５ｂの機器判別部３１は、出現係数（図３参照）を用いて、判別対象となる電気機器１ｂの候補と電気機器判別装置１ａから通知された候補との組合せの中から１の組合せを選出する。そして、機器判別部３１は、選出した組合せに含まれる、判別対象となる電気機器１ｂの候補を、判別対象となる電気機器１ｂの種類と判別する。
【０１１３】
即ち、本実施の形態５では、電気機器判別装置１０５ａと電気機器判別装置１０５ｂとは、互いに、選出した候補を通知し合い、そして、通知された候補を用いて、判別対象となる電気機器の種類を判別している。
【０１１４】
なお、電気機器判別装置１０ａ及び１０５ｂにおいて、特徴量計算部１３は、特徴量計算部１０ａ及び１０ｂ（図１参照）と同様の機能を備えており、対応する電気機器（１ａまたは１ｂ）の電気的特徴量を計算する。また、候補選出部２４は、図５に示した候補選出部２１と同様に、特徴量データベース４０及び稼動係数データベース４１を用いて、対応する電気機器（１ａまたは１ｂ）の種類の候補を選出する。特徴量データベース４０は、図２に示したものと同様であり、稼動係数データベース４１は、図５に示したものと同様である。
【０１１５】
［装置動作］
次に、本発明の実施の形態５における電気機器判別装置１０５ａ及び１０５ｂの動作について図１４を用いて説明する。図１４は、本発明の実施の形態５における電気機器判別装置の動作を示すフロー図である。以下の説明においては、適宜図１３を参酌する。
【０１１６】
また、本実施の形態５では、電気機器判別装置１０５ａまたは１０５ｂを動作させることによって、電気機器判別方法が実施される。よって、本実施の形態５における電気機器判別方法の説明は、以下の電気機器判別装置１０５ａ及び１０５ｂの動作説明に代える。なお、電気機器判別装置１０５ａと電気機器判別装置１０５ｂとは、同様の動作を行なうため、以下においては、電気機器判別装置１０５ａを中心に説明する。
【０１１７】
まず、本実施の形態５においては、前提として、電源２ａから電気機器１ａに電力が供給されて、電気機器１ａが稼動し、電源２ｂから電気機器１ｂに電力が供給されて、電気機器１ｂが稼動する。そして、計測装置３ａ及び３ｂそれぞれが、電圧、電流、及び電力を計測し、計測結果を、設定された間隔で、対応する電気機器判別装置に出力する。
【０１１８】
図１４に示すように、電気機器判別装置１０５ａにおいて、特徴量計算部１３は、対応する計測装置３ａから、計測結果として、電圧情報、電流情報及び電力情報を取得する（ステップＳ５１）。次に、特徴量計算部１３は、取得した、電圧情報、電流情報及び電力情報に基づいて、判別対象となる電気機器１ａの電気的特徴量を計算する（ステップＳ５２）。ステップＳ５１及びＳ５２は、それぞれ図４に示したステップＳ１１及びＳ１２と同様に実行される。
【０１１９】
次に、電気機器判別装置１０５ａにおいて、候補選出部２４は、特徴量計算部１２によって計算された特徴量と、特徴量データベース４０と、稼動係数データベース４１とを用いて、対応する電気機器１ａの種類の候補を選出する（ステップＳ５３）。ステップＳ５３は、図７に示したステップＳ２３と同様に実行される。
【０１２０】
次に、電気機器判別装置１０５ａにおいて、通信部２５は、ステップＳ５３によって選出された候補を、電気機器判別装置１０５ｂに通知すると共に、電気機器判別装置１０５ｂからは、電気機器１ｂの候補の通知を受信する（ステップＳ５４）。
【０１２１】
次に、電気機器判別装置１０５ａにおいて、機器判別部３１は、出現係数（図３参照）を用いて、判別対象となる電気機器１ａの候補と、電気機器判別装置１０５ｂから通知された電気機器１ｂの候補との組合せの中から１の組合せを選出する。そして、機器判別部３１は、選出した組合せに含まれる、電気機器１ａの候補を、電気機器１ａの種類と判別する（ステップＳ５５）。
【０１２２】
その後、電気機器判別装置１０５ａにおいて、機器判別部３１は、ステップＳ５５の結果を、出力装置６０に出力する（ステップＳ５６）。ステップＳ５６は、図４に示したステップＳ１５と同様に実行される。これにより、出力装置６０の画面上には、電気機器１ａの機種名が表示される。ステップＳ５６の実行により、電気機器判別装置１０５ａにおける処理は一旦終了する。なお、ステップＳ５１〜Ｓ５６は、設定時間の経過後に繰り返し実行されても良い。
【０１２３】
また、本実施の形態５では、電気機器判別装置１０５ｂにおいても、上記と同様に、ステップＳ５１〜Ｓ５６が実行される。これにより、電気機器判別装置１０５ｂの出力装置６０の画面上には、電気機器１ｂの機種名が表示される。
【０１２４】
［プログラム］
本実施の形態５におけるプログラムは、コンピュータに、図１４に示すステップＳ５１〜Ｓ５６を実行させるプログラムであれば良い。このプログラムをコンピュータにインストールし、実行することによって、本実施の形態５における電気機器判別装置１０５ａまたは１０５ｂを実現することができる。この場合、コンピュータのＣＰＵ（Central Processing Unit）は、特徴量計算部１３、候補選出部２４、通信部２５、及び機器判別部３１として機能し、処理を行なう。また、コンピュータに備えられたハードディスク等の記憶装置の記憶領域において、特徴量データベース４０と、出現係数データベース５０と、稼動係数データベース４１とが構築される。
【０１２５】
［実施の形態５による効果］
以上のように本実施の形態５でも、実施の形態４と同様に、電気機器毎に電気機器判別装置が設置されるため、電気機器判別装置における負担を軽減することができる。また、本実施の形態５による場合も、実施の形態１〜４と同様に、電気的特徴量のみでは判別が困難となる場合に、電気機器の種類を精度良く判別することが可能となる。
【０１２６】
（コンピュータの具体例）
ここで、実施の形態１〜５におけるプログラムを実行することによって、電気機器判別装置（または実施の形態４における管理装置）を実現するコンピュータについて図１５を用いて説明する。図１５は、本発明の実施の形態１〜５における電気機器判別装置を実現するコンピュータの一例を示すブロック図である。
【０１２７】
図１５に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【０１２８】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【０１２９】
また、記憶装置１１３の具体例としては、ハードディスクの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【０１３０】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【０１３１】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【０１３２】
上述した実施の形態の一部又は全部は、以下に記載する（付記１）〜（付記１５）によって表現することができるが、以下の記載に限定されるものではない。
【０１３３】
（付記１）
電気機器の種類を判別するための装置であって、
判別対象となる電気機器に供給されている電圧、電流、及び電力のうち少なくとも１つの計測結果を取得し、取得した前記計測結果に基づいて、前記判別対象となる電気機器の電気的特徴量を計算する、特徴量計算部と、
計算された前記電気的特徴量を、電気機器の種類毎に予め設定されている電気的特徴量に照合して、前記判別対象となる電気機器の種類の候補を選出する、候補選出部と、
選出された前記候補の中から、電気機器における状況毎の出現の可能性を示す出現係数に基づいて、前記判別対象となる電気機器の種類を判別する、機器判別部と、
を備えている、ことを特徴とする電気機器判別装置。
【０１３４】
（付記２）
前記判別対象となる電気機器が複数存在する場合において、
前記候補選出部が、前記判別対象となる電気機器毎に、前記候補を選出し、
前記機器判別部が、前記出現係数として、２以上の電気機器を含む組合せ毎の当該２以上の電気機器が同時に用いられる可能性を示す係数を用いて、前記判別対象となる電気機器それぞれの前記候補を含む組合せの中から１の組合せを選出し、選出した組合せに含まれる各候補を、前記判別対象となる電気機器それぞれの種類と判別する、
付記１に記載の電気機器判別装置。
【０１３５】
（付記３）
前記候補選出部が、更に、電気機器における状況毎の稼動している可能性を示す稼動係数を用いて、前記判別対象となる電気機器の種類の候補を選出する、
付記１または２に記載の電気機器判別装置。
【０１３６】
（付記４）
前記判別対象となる電気機器が異なっている別の電気機器判別装置から、前記別の電気機器判別装置が選出した候補の通知を受信する、通信部を更に備え、
前記機器判別部が、前記出現係数として、２以上の電気機器を含む組合せ毎の当該２以上の電気機器が同時に用いられる可能性を示す係数を用いて、前記候補選出部に選出された前記候補と前記通知された候補との組合せの中から１の組合せを選出し、選出した組合せに含まれる、前記候補選出部に選出された前記候補を、前記判別対象となる電気機器の種類と判別する、付記１に記載の電気機器判別装置。
【０１３７】
（付記５）
電気機器の種類を判別するためのシステムであって、電気機器判別装置と、管理装置とを備え、
前記電気機器判別装置は、
判別対象となる電気機器に供給されている電圧、電流及び電力のうち少なくとも１つの計測結果を取得し、取得した前記計測結果に基づいて、前記判別対象となる電気機器の電気的特徴量を計算する、特徴量計算部と、
計算された前記電気的特徴量を、電気機器の種類毎に予め設定されている電気的特徴量に照合して、前記判別対象となる電気機器の種類の候補を選出する、候補選出部と、を備え、
前記管理装置は、前記電気機器判別装置によって選出された前記候補の中から、電気機器における状況毎の出現の可能性を示す出現係数に基づいて、前記判別対象となる電気機器の種類を判別する、
ことを特徴とする電気機器判別システム。
【０１３８】
（付記６）
電気機器の種類を判別するための方法であって、
（ａ）判別対象となる電気機器に供給されている電圧、電流、及び電力のうち少なくとも１つの計測結果を取得し、取得した前記計測結果に基づいて、前記判別対象となる電気機器の電気的特徴量を計算する、ステップと、
（ｂ）前記（ａ）のステップで計算された前記電気的特徴量を、電気機器の種類毎に予め設定されている電気的特徴量に照合して、前記判別対象となる電気機器の種類の候補を選出する、ステップと、
（ｃ）前記（ｂ）のステップで選出された前記候補の中から、電気機器における状況毎の出現の可能性を示す出現係数に基づいて、前記判別対象となる電気機器の種類を判別する、ステップと、
を有する、ことを特徴とする電気機器判別方法。
【０１３９】
（付記７）
前記判別対象となる電気機器が複数存在する場合において、
前記（ｂ）のステップにおいて、前記判別対象となる電気機器毎に、前記候補を選出し、
前記（ｃ）のステップにおいて、前記出現係数として、２以上の電気機器を含む組合せ毎の当該２以上の電気機器が同時に用いられる可能性を示す係数を用いて、前記判別対象となる電気機器それぞれの前記候補を含む組合せの中から１の組合せを選出し、選出した組合せに含まれる各候補を、前記判別対象となる電気機器それぞれの種類と判別する、
付記６に記載の電気機器判別方法。
【０１４０】
（付記８）
前記（ｂ）のステップにおいて、更に、電気機器における状況毎の稼動している可能性を示す稼動係数を用いて、前記判別対象となる電気機器の種類の候補を選出する、
付記６または７に記載の電気機器判別方法。
【０１４１】
（付記９）
（ｄ）前記判別対象となる電気機器が異なっている別の電気機器判別方法が実行されている場合に、前記別の電気機器判別方法において選出された候補を取得する、ステップを更に有し、
前記（ｃ）のステップにおいて、前記出現係数として、２以上の電気機器を含む組合せ毎の当該２以上の電気機器が同時に用いられる可能性を示す係数を用いて、前記（ｂ）のステップで選出された前記候補と前記（ｄ）のステップで取得された候補との組合せの中から１の組合せを選出し、選出した組合せに含まれる、前記（ｂ）のステップで選出された前記候補を、前記判別対象となる電気機器の種類と判別する、
付記６に記載の電気機器判別方法。
【０１４２】
（付記１０）
コンピュータによって、電気機器の種類を判別するためのプログラムであって、
前記コンピュータに、
（ａ）判別対象となる電気機器に供給されている電圧、電流、及び電力のうち少なくとも１つの計測結果を取得し、取得した前記計測結果に基づいて、前記判別対象となる電気機器の電気的特徴量を計算する、ステップと、
（ｂ）前記（ａ）のステップで計算された前記電気的特徴量を、電気機器の種類毎に予め設定されている電気的特徴量に照合して、前記判別対象となる電気機器の種類の候補を選出する、ステップと、
（ｃ）前記（ｂ）のステップで選出された前記候補の中から、電気機器における状況毎の出現の可能性を示す出現係数に基づいて、前記判別対象となる電気機器の種類を判別する、ステップと、
を実行させるプログラム。
【０１４３】
（付記１１）
前記判別対象となる電気機器が複数存在する場合において、
前記（ｂ）のステップにおいて、前記判別対象となる電気機器毎に、前記候補を選出し、
前記（ｃ）のステップにおいて、前記出現係数として、２以上の電気機器を含む組合せ毎の当該２以上の電気機器が同時に用いられる可能性を示す係数を用いて、前記判別対象となる電気機器それぞれの前記候補を含む組合せの中から１の組合せを選出し、選出した組合せに含まれる各候補を、前記判別対象となる電気機器それぞれの種類と判別する、
付記１０に記載のプログラム。
【０１４４】
（付記１２）
前記（ｂ）のステップにおいて、更に、電気機器における状況毎の稼動している可能性を示す稼動係数を用いて、前記判別対象となる電気機器の種類の候補を選出する、
付記１０または１１に記載のプログラム。
【０１４５】
（付記１３）
（ｄ）前記判別対象となる電気機器が異なっている別のプログラムが実行されている場合に、前記別のプログラムにおいて選出された候補を取得する、ステップを更に前記コンピュータに実行させ、
前記（ｃ）のステップにおいて、前記出現係数として、２以上の電気機器を含む組合せ毎の当該２以上の電気機器が同時に用いられる可能性を示す係数を用いて、前記（ｂ）のステップで選出された前記候補と前記（ｄ）のステップで取得された候補との組合せの中から１の組合せを選出し、選出した組合せに含まれる、前記（ｂ）のステップで選出された前記候補を、前記判別対象となる電気機器の種類と判別する、
付記１０に記載のプログラム。
【０１４６】
（付記１４）
コンピュータに、
（ａ）判別対象となる電気機器に供給されている電圧、電流、及び電力のうち少なくとも１つの計測結果を取得し、取得した前記計測結果に基づいて、前記判別対象となる電気機器の電気的特徴量を計算する、ステップと、
（ｂ）前記（ａ）のステップで計算された前記電気的特徴量を、電気機器の種類毎に予め設定されている電気的特徴量に照合して、前記判別対象となる電気機器の種類の候補を選出する、ステップと、
を実行させるプログラム。
【０１４７】
（付記１５）
判別対象となる電気機器に供給されている電圧、電流、及び電力のうち少なくとも１つの計測結果から計算された、前記判別対象となる電気機器の電気的特徴量を、電気機器の種類毎に予め設定されている電気的特徴量に照合して、前記判別対象となる電気機器の種類の候補が選出されている場合において、
コンピュータに、選出された前記候補の中から、電気機器における状況毎の出現の可能性を示す出現係数に基づいて、前記判別対象となる電気機器の種類を判別する、ステップを実行させるプログラム。
【産業上の利用可能性】
【０１４８】
以上のように、本発明によれば、電気的特徴量のみでは判別が困難となる場合であっても、電気機器の種類を精度良く判別することができる。本発明は、エネルギー管理システムに有効であり、特に、本発明によれば、エネルギー管理システムにおいて、電気機器のプラグアンドプレイを実現できる。
【符号の説明】
【０１４９】
１ａ、１ｂ  電気機器
２、２ａ、２ｂ  電源
３、３ａ、３ｂ、４  計測装置
４ａ  入力切換部
４ｂ  計測部
１０ａ、１０ｂ、１１、１２、１３  特徴量計算部
２０、２１、２２、２４  候補選出部
２３、２５  通信部
３０、３１  機器判別部
４０  特徴量データベース
４１  稼動計数データベース
５０  出現率データベース
６０  出力装置
７１  通信部
７２  機器判別部
７３  出現率データベース
１０１  電気機器判別装置（実施の形態１）
１０２  電気機器判別装置（実施の形態２）
１０３  電気機器判別装置（実施の形態３）
１０４  電気機器判別システム（実施の形態４）
１０４ａ、１０４ｂ  電気機器判別装置（実施の形態４）
１０４ｃ  管理装置（実施の形態４）
１０５ａ、１０５ｂ  電気機器判別装置（実施の形態５）
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
0005641584.tif 000002
【図２】
0005641584.tif 000003
【図３】
0005641584.tif 000004
【図４】
0005641584.tif 000005
【図５】
0005641584.tif 000006
【図６】
0005641584.tif 000007
【図７】
0005641584.tif 000008
【図８】
0005641584.tif 000009
【図９】
0005641584.tif 000010
【図１０】
0005641584.tif 000011
【図１１】
0005641584.tif 000012
【図１２】
0005641584.tif 000013
【図１３】
0005641584.tif 000014
【図１４】
0005641584.tif 000015
【図１５】
0005641584.tif 000016